【手続補正書】
【提出日】平成17年10月31日(2005.10.31)
【手続補正１】
【補正対象書類名】明細書
【補正対象項目名】発明の名称
【補正方法】変更
【補正の内容】
【発明の名称】画像処理装置、方法、記録媒体
【手続補正２】
【補正対象書類名】明細書
【補正対象項目名】特許請求の範囲
【補正方法】変更
【補正の内容】
【特許請求の範囲】    【請求項１】  画像を加工する指示を受信する第１の受信手段と、  所定ディレクトリに、前記画像のコピーを前記画像と関連付けて格納する格納手段と、  前記第１の受信手段で受信した指示に基づき、前記画像を加工する加工手段と、  前記加工手段で加工された画像を加工前の画像に復元する指示を受信する第２の受信手段と、  前記第２の受信手段で受信した指示に基づき、前記所定ディレクトリに格納された前記画像のコピーを用いて、加工された画像を加工前の画像に復元する復元手段と  を備えることを特徴とする画像処理装置。    【請求項２】  前記格納手段は、前記第１の受信手段で画像を加工する指示が受信されたと判断した場合に、前記画像のコピーを所定ディレクトリに格納する  ことを特徴とする請求項１に記載の画像処理装置。    【請求項３】  前記所定ディレクトリを作成するディレクトリ作成手段を更に備え、  前記ディレクトリ作成手段は、前記第１の受信手段で画像を加工する指示が受信されたと判断した場合に、前記所定ディレクトリを作成する  ことを特徴とする請求項１又は２に記載の画像処理装置。    【請求項４】  前記加工手段により加工された画像をコピーして第１のコピー画像を生成した場合に、前記加工された画像に関連付けられた第２のコピー画像が前記所定ディレクトリに格納されているか否かを判定する判定手段を更に備え、  前記格納手段は、前記判定手段の判定結果に基づいて、前記所定ディレクトリに格納されている第２のコピー画像をコピーし、前記第１のコピー画像と関連付けて所定ディレクトリに格納する  ことを特徴とする請求項１から３のいずれか１項に記載の画像処理装置。    【請求項５】  前記復元手段により復元を行った後に、復元の際に用いられた前記画像のコピーを所定ディレクトリから消去する消去手段を更に備える  ことを特徴とする請求項１から４のいずれか１項に記載の画像処理装置。    【請求項６】  画像を表示部に表示する第１の表示手段と、  画像に加工を施すよう指示するためのボタンを表示部に表示する第２の表示手段とを更に備え、  前記第１の表示手段は、前記所定ディレクトリに格納された画像の表示を禁止する  ことを特徴とする請求項１から５のいずれか１項に記載の画像処理装置。    【請求項７】  前記復元手段は、前記第２の受信手段で第１のコピー画像を復元する指示を受信した場合、前記第１のコピー画像と関連付けられた画像を用いて、前記第１コピー画像を復元する  ことを特徴とする請求項４に記載の画像処理装置。    【請求項８】  画像を加工する指示を受信する第１の受信工程と、  所定ディレクトリに、前記画像のコピーを前記画像と関連付けて格納する格納工程と、  前記第１の受信工程で受信した指示に基づき、前記画像を加工する加工工程と、  前記加工工程で加工された画像を加工前の画像に復元する指示を受信する第２の受信工程と、  前記第２の受信工程で受信した指示に基づき、前記所定ディレクトリに格納された前記画像のコピーを用いて、加工された画像を加工前の画像に復元する復元工程と  を備えることを特徴とする画像処理方法。    【請求項９】  コンピュータに、  画像を加工する指示を受信する第１の受信工程と、  所定ディレクトリに、前記画像の���ピーを前記画像と関連付けて格納する格納工程と、  前記第１の受信工程で受信した指示に基づき、前記画像を加工する加工工程と、  前記加工工程で加工された画像を加工前の画像に復元する指示を受信する第２の受信工程と、  前記第２の受信工程で受信した指示に基づき、前記所定ディレクトリに格納された前記画像のコピーを用いて、加工された画像を加工前の画像に復元する復元工程と  を実行させるプログラムを記録したことを特徴とするコンピュータ可読の記録媒体。    【請求項１０】  前記格納工程は、前記第１の受信工程で画像を加工する指示が受信されたと判断した場合に、前記画像のコピーを所定ディレクトリに格納する  ことを特徴とする請求項９に記載の記録媒体。    【請求項１１】  前記所定ディレクトリを作成するディレクトリ作成工程を更に備え、  前記ディレクトリ作成工程は、前記第１の受信工程で画像を加工する指示が受信されたと判断した場合に、前記所定ディレクトリを作成する  ことを特徴とする請求項９または１０に記載の記録媒体。    【請求項１２】  前記加工工程により加工された画像をコピーして第１のコピー画像を生成した場合に、前記加工された画像に関連付けられた第２のコピー画像が前記所定ディレクトリに格納されているか否かを判定する判定工程を更に備え、  前記格納工程は、前記判定工程の判定結果に基づいて、前記所定ディレクトリに格納されている第２のコピー画像をコピーし、前記第１のコピー画像と関連付けて所定ディレクトリに格納する  ことを特徴とする請求項９から１１のいずれか１項に記載の記録媒体。    【請求項１３】  前記復元工程により復元を行った後に、復元の際に用いられた前記画像のコピーを所定ディレクトリから消去する消去工程を更に備える  ことを特徴とする請求項９から１１のいずれか１項に記載の記録媒体。    【請求項１４】  画像を表示部に表示する第１の表示工程と、  画像に加工を施すよう指示するためのボタンを表示部に表示する第２の表示工程とを更に備え、  前記第１の表示工程は、前記所定ディレクトリに格納された画像の表示を禁止する  ことを特徴とする請求項９から１３のいずれか１項に記載の記録媒体。    【請求項１５】  前記復元工程は、前記第２の受信工程で第１のコピー画像を復元する指示を受信した場合、前記第１のコピー画像と関連付けられた画像を用いて、前記第１コピー画像を復元する  ことを特徴とする請求項１２に記載の記録媒体。【手続補正３】
【補正対象書類名】明細書
【補正対象項目名】０００１
【補正方法】変更
【補正の内容】
【０００１】        【発明の属する技術分野】  本発明は、画像の加工、復元を行う画像処理装置、方法、記録媒体に関するものである。【手続補正４】
【補正対象書類名】明細書
【補正対象項目名】０００４
【補正方法】変更
【補正の内容】
【０００４】          【発明が解決しようとする課題】  本発明は上記の問題点に鑑みてなされたものであり、加工、復元の操作効率を向上することができる画像処理装置、方法、記録媒体を提供することを目的とする。【手続補正５】
【補正対象書類名】明細書
【補正対象項目名】０００５
【補正方法】変更
【補正の内容】
【０００５】【課題を解決するための手段】  上記の目的を達成するための本発明による画像処理装置は以下の構成を備える。即ち、  画像を加工する指示を受信する第１の受信手段と、  所定ディレクトリに、前記画像のコピーを前記画像と関連付けて格納する格納手段と、  前記第１の受信手段で受信した指示に基づき、前記画像を加工する加工手段と、  前記加工手段で加工された画像を加工前の画像に復元する指示を受信する第２の受信手段と、  前記第２の受信手段で受信した指示に基づき、前記所定ディレクトリに格納された前記画像のコピーを用いて、加工された画像を加工前の画像に復元する復元手段と  を備える。【手続補正６】
【補正対象書類名】明細書
【補正対象項目名】０００６
【補正方法】変更
【補正の内容】
【０００６】  また、好ましくは、前記格納手段は、前記第１の受信手段で画像を加工する指示が受信されたと判断した場合に、前記画像のコピーを所定ディレクトリに格納する。
【手続補正７】
【補正対象書類名】明細書
【補正対象項目名】０００７
【補正方法】変更
【補正の内容】
【０００７】  また、好ましくは、前記所定ディレクトリを作成するディレクトリ作成手段を更に備え、  前記ディレクトリ作成手段は、前記第１の受信手段で画像を加工する指示が受信されたと判断した場合に、前記所定ディレクトリを作成する。
【手続補正８】
【補正対象書類名】明細書
【補正対象項目名】０００８
【補正方法】変更
【補正の内容】
【０００８】  また、好ましくは、前記加工手段により加工された画像をコピーして第１のコピー画像を生成した場合に、前記加工された画像に関連付けられた第２のコピー画像が前記所定ディレクトリに格納されているか否かを判定する判定手段を更に備え、  前記格納手段は、前記判定手段の判定結果に基づいて、前記所定ディレクトリに格納されている第２のコピー画像をコピーし、前記第１のコピー画像と関連付けて所定ディレクトリに格納する。
【手続補正９】
【補正対象書類名】明細書
【補正対象項目名】０００９
【補正方法】変更
【補正の内容】
【０００９】  また、好ましくは、前記復元手段により復元を行った後に、復元の際に用いられた前記画像のコピーを所定ディレクトリから消去する消去手段を更に備える。
【手続補正１０】
【補正対象書類名】明細書
【補正対象項目名】００１０
【補正方法】変更
【補正の内容】
【００１０】  また、好ましくは、画像を表示部に表示する第１の表示手段と、  画像に加工を施すよう指示するためのボタンを表示部に表示する第２の表示手段とを更に備え、  前記第１の表示手段は、前記所定ディレクトリに格納された画像の表示を禁止する。  また、好ましくは、前記復元手段は、前記第２の受信手段で第１のコピー画像を復元する指示を受信した場合、前記第１のコピー画像と関連付けられた画像を用いて、前記第１コピー画像を復元する。
【手続補正１１】
【補正対象書類名】明細書
【補正対象項目名】００１１
【補正方法】変更
【補正の内容】
【００１１】  上記の目的を達成するための本発明による画像処理方法は以下の構成を備える。即ち、  画像を加工する指示を受信する第１の受信工程と、  所定ディレクトリに、前記画像のコピーを前記画像と関連付けて格納する格納工程と、  前記第１の受信工程で受信した指示に基づき、前記画像を加工する加工工程と、  前記加工工程で加工された画像を加工前の画像に復元する指示を受信する第２の受信工程と、  前記第２の受信工程で受信した指示に基づき、前記所定ディレクトリに格納された前記画像のコピーを用いて、加工された画像を加工前の画像に復元する復元工程と  を備える。
【手続補正１２】
【補正対象書類名】明細書
【補正対象項目名】００１２
【補正方法】変更
【補正の内容】
【００１２】  上記の目的を達成するための本発明による記録媒体は以下の構成を備える。即ち、  コンピュータに、  画像を加工する指示を受信する第１の受信工程と、  所定ディレクトリに、前記画像のコピーを前記画像と関連付けて格納する格納工程と、  前記第１の受信工程で受信した指示に基づき、前記画像を加工する加工工程と、  前記加工工程で加工された画像を加工前の画像に復元する指示を受信する第２の受信工程と、  前記第２の受信工程で受信した指示に基づき、前記所定ディレクトリに格納された前記画像のコピーを用いて、加工された画像を加工前の画像に復元する復元工程と  を実行させるプログラムを記録したことを特徴とする。
【手続補正１３】
【補正対象書類名】明細書
【補正対象項目名】００１５
【補正方法】変更
【補正の内容】
【００１５】      ３はワイヤレスリモコンＩ／Ｆであり、ワイヤレスリモコン４からのデータ入力等を制御している。５は表示コントローラ（ＴＶＣ）であり、ＴＶ６の画像表示や、カーソル表示等を制御している。また、ＴＶ６のかわりに、ＬＣＤ等のモニタを用いても構わない。８は大容量ＦＤ（可動式外部記憶装置）であり、例えば、ＬＳ−１２０の３．５インチＦＤであるとかＺＩＰなどである。この大容量ＦＤ８は、ＦＤコントローラ（ＦＤＣ）７を介してＣＰＵ１の指令によりアルバムファイル情報、画像データ情報等を記憶、保存するとともに、あらかじめ大容量ＦＤ８に記憶されているプログラム等をＲＡＭ２上にロードする。１０はプリンタであり、プリンタＩ／Ｆ９を介して、ＴＶ６に表示される内容等の情報をプリントアウトする。１１は、各種構成要素を相互に接続するシステムバスである。
【手続補正１４】
【補正対象書類名】明細書
【補正対象項目名】００４４
【補正方法】変更
【補正の内容】
【００４４】          【発明の効果】  以上説明したように本発明によれば、操作効率を向上することができる画像処理装置、方法、記録媒体を提供できる。【手続補正１５】
【補正対象書類名】図面
【補正対象項目名】図１
【補正方法】変更
【補正の内容】
【図１】
2000137637.tif 000001
【手続補正１６】
【補正対象書類名】図面
【補正対象項目名】図３
【補正方法】変更
【補正の内容】
【図３】
2000137637.tif 000002